(57)【特許請求の範囲】
【請求項１】
外部装置との間で送受信される信号を終端し、制御主体となる光回線終端装置としてのＯＬＴ(Optical Line Terminal)と、前記制御主体に対して客体となる光回線終端装置としての複数のＯＮＵ(Optical Network Unit)とが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、
前記ＯＬＴを介した前記ＯＮＵ間の経路に、独立した論理的な３つのパスを設定する制御を行うパス設定制御手段を備え、
前記パス設定制御手段は、前記３つのパスを設定制御する際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行う
ことを特徴とする光伝送装置。
【請求項２】
前記パス設定制御手段は、前記ＯＮＵとＯＬＴ間及び前記ＯＬＴとＯＮＵ間において、前記２本の光伝送路で相反方向にデータ伝送が行なわれる各経路から遅延の少ない経路順に前記３つのパスを設定する制御を行う
ことを特徴とする請求項１に記載の光伝送装置。
【請求項３】
前記パス設定制御手段は、前記ＯＬＴを介した前記ＯＮＵ間の通信を行う際に、各ＯＮＵに対して複数波長を総合した総帯域を所定帯域に分配可能なように、動的に波長を切替えて帯域を割り当てる制御を行う
ことを特徴とする請求項１又は２に記載の光伝送装置。
【請求項４】
外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、
前記ＯＬＴは、
前記ＯＬＴを介した前記ＯＮＵ間の経路において、前記ＯＮＵから前記２本の光伝送路を介して前記ＯＬＴに向かう上り経路に２つのパスを設定し、当該２つのパスの内の一方を、前記ＯＬＴで折り返す折返点で２分岐し、この２分岐したパスに前記２つのパスの内の他方を加えた３つのパスを、前記ＯＬＴの折返点から前記２本の光伝送路を介して前記ＯＮＵに向かう下り経路に設定するように制御を行うパス設定制御手段と、
前記上り経路の２つのパスを経由してきた２つのデータの内の一方のデータを複写して２つのデータとするコピー部と、
前記複写された２つのデータを前記折返点で２分岐されたパスへ伝送するマルチプレクサ部とを備える
ことを特徴とする光伝送装置。
【請求項５】
前記ＯＬＴに、当該ＯＬＴで折り返されるデータの負荷と、当該ＯＬＴから前記ＯＮＵへ向かって伝送されるデータの負荷とを合計した負荷量を監視するモニタ部を備え、
前記パス設定制御手段は、
前記上り経路への２つのパス設定及び前記下り経路への３つのパス設定である第１パス設定が成されている際に、前記モニタ部で監視される負荷量が予め定められた第１負荷量以上となった場合、前記ＯＬＴを介した前記ＯＮＵ間の経路に、独立した論理的な３つのパスを設定する第２パス設定に切り替え、前記第２パス設定が成されている際に、前記モニタ部で監視される負荷量が予め定められた第２負荷量以下となった場合に、前記第１パス設定に切り替える制御を行う
ことを特徴とする請求項４に記載の光伝送装置。
【請求項６】
外部装置との間で送受信される信号を終端し、制御主体となる光回線終端装置としてのＯＬＴを有する第１光伝送装置と、前記制御主体に対して客体となる光回線終端装置としてのＯＮＵを有する複数の第２光伝送装置と、前記第１光伝送装置及び前記第２光伝送装置をリング状に接続し、当該リング状の経路に相反方向にデータを伝送する２本の光伝送路とを有し、データが一方の前記ＯＮＵから前記ＯＬＴで折り返して他方の前記ＯＮＵへ伝送される光集線ネットワークシステムであって、
前記第１光伝送装置に、前記ＯＬＴを介した前記ＯＮＵ間の経路に、独立した論理的な３つのパスを設定する制御を行うパス設定制御手段を備え、
前記パス設定制御手段は、前記３つのパスを設定制御する際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行う
ことを特徴とする光集線ネットワークシステム。
【請求項７】
外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、
前記光伝送装置は、
前記ＯＬＴを介した前記ＯＮＵ間の経路に、独立した論理的な３つのパスを設定する制御を行うステップと、
前記設定する制御を行う際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行うステップと、
を実行することを特徴とする光伝送方法。
【請求項８】
外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置としてのコンピュータを、
前記ＯＬＴを介した前記ＯＮＵ間の経路に、独立した論理的な３つのパスを設定する制御を行う手段、
前記設定の制御を行う際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行う手段、
として機能させるためのプログラム。
【発明の詳細な説明】
【技術分野】
【０００１】
本発明は、ＰＯＮ(Passive Optical Network)に代表される、光ＴＤＭ(Time Division Multiplexing)技術を用いた通信用のデバイス及び装置を活用した光伝送装置、光集線ネットワークシステム、光伝送方法及びプログラムに関する。
【背景技術】
【０００２】
従来、光ＴＤＭ技術を用いたネットワークとして、例えばＰＯＮがブロードバンドアクセス網を構成する一手段として検討又は導入されている。ＰＯＮは、光ファイバ網の途中に分岐装置（光カプラ）が挿入された、１本の光ファイバが複数の加入者で共有可能な光ネットワークである。
【０００３】
ブロードバンドアクセス網におけるＰＯＮでは、局舎に配置されるＯＬＴ(Optical Line Terminal)と、ユーザ宅に配置されるＯＮＵ(Optical Network Unit)とが光ファイバ及び光カプラを介して接続される。通常、１台のＯＬＴに対して複数台のＯＮＵが接続され、このＯＬＴ−ＯＮＵ間において、ＴＤＭ又はＴＤＭＡ(Time Division Multiple Access)を適用して光の領域でデータの多重分離を行いつつデータを伝送することにより、光ファイバ心線やＯＬＴ等のリソースが複数ユーザで共用可能となっている。なお、ＯＬＴは局舎側の光回線終端装置であり、ＯＮＵは、ユーザ宅側の光回線終端装置としての加入者装置である。
【０００４】
ＰＯＮの物理トポロジとしては、ツリー構成が多く採用されているが、非特許文献１に記載のように、リング構成も検討されている。この種のリング構成のＰＯＮにおけるＯＬＴ−ＯＮＵ間の１＋１プロテクション（後述）の構成例を図８に示す。
【０００５】
図８はリングトポロジにＰＯＮを適用した場合の光集線ネットワークシステム１０の構成を示すブロック図である。
図８に示す光集線ネットワークシステム１０は、代表ノードとしての光伝送装置１１と、ノードとしての複数の光伝送装置１２，１３，１４とが、物理的に独立した２本の信号伝送路としての第１光ファイバ（第１光伝送路）１６及び第２光ファイバ（第２光伝送路）１７によってリング状に接続されている。この２本のリング状の光ファイバ１６，１７の伝送路によって、矢印で示す互いに異なる方向（相反方向）の右回り方向と左回り方向にデータを伝送でき、何れか一方の伝送路に障害が発生して伝送不能となった場合に、他方の伝送路で伝送が可能となっている。これが上述した１＋１プロテクションの構成である。なお、光伝送装置１１は代表ノード１１とも称し、各光伝送装置１２，１３，１４はノード１２，１３，１４とも称す。
【０００６】
代表ノード１１は、複数のＩＯ（入出力処理）部２０ａ〜２０ｎと、ＯＬＴ２１と、光多重分離部２３ａ，２３ｂとを備えて構成されている。ＯＬＴ２１は、ＳＷ（スイッチ）部２５と、ＯＳＵ(Optical Subscriber Unit)２６ａ，２６ｂと、ＤＷＢＡ(Dynamic Wavelength and Bandwidth Assignment)機能部２７とを備えて構成されている。
【０００７】
ノード１２，１３，１４は何れも同構成であり、ノード１３に代表して示すように、光多重分離部３１ａ，３１ｂと、ＯＮＵ(Optical Network Unit)３２ａ，３２ｂと、ＳＷ部３３と、複数のＩＯ部３４ａ〜３４ｎとを備えて構成されている。
【０００８】
代表ノード１１において、複数のＩＯ部２０ａ〜２０ｎは、代表ノード１１の外部の複数のホストコンピュータ（ホストともいう）４１ａ〜４１ｎと１対１で接続され、ホスト４１ａ〜４１ｎと信号送受信を行うＳＮＩ−ＬＴ(application Server-Network Interface−Line Terminal)である。ノード１３においても、上記と同じ複数のＩＯ部３４ａ〜３４ｎに、ノード１３の外部の複数のホスト４３ａ〜４３ｎが、１対１で接続されている。他のノード１２，１４においても、同様に図示せぬＩＯ部にホスト４２ａ〜４２ｎ，４４ａ〜４４ｎ（図示は１つのみ）が１対１で接続されている。
【０００９】
代表ノード１１のＩＯ部２０ａ〜２０ｎは、ホスト４１ａ〜４１ｎから送信されて来たクライアント信号を終端してＳＷ部２５へ送信し、また、ＳＷ部２５からの信号をクライアント信号としてホスト４１ａ〜４１ｎへ送信する。
【００１０】
ＳＷ部２５は、通常の電気パケットスイッチであり、Ｌ２−ＳＷ(レイヤ２スイッチ)と同等なスイッチである。このＳＷ部２５は、事前に設定されたＭＡＣアドレス(Media Access Control address)とポートとの対応テーブルに従い、ＭＡＣアドレスによる宛先のホスト（例えば４１ａ）へ、ＯＳＵ２６ａからのパケットデータをＳＷ部２５及びＩＯ部２０ａを介して転送する。
【００１１】
ＯＳＵ２６ａ，２６ｂは、ＰＤＳ(Passive Double Star)方式の光回線終端装置である。このＯＳＵ２６ａ，２６ｂは、ノード１２〜１４のＯＮＵ３２ａ，３２ｂからの光バーストデータを受信してＳＷ部２５へ出力し、また、ＳＷ部２５からのパケットデータを受け取り、ＯＮＵ３２ａ，３２ｂへ光データ送信する。この構成では、ＯＳＵ２６ａ，２６ｂとＯＮＵ３２ａ，３２ｂ間がＰＯＮ区間となっている。
【００１２】
ＤＷＢＡ機能部２７は、動的波長帯域割当の機能を有する。動的波長帯域割当とは、ノード１２〜１４のＯＮＵ３２ａ，３２ｂに対して複数波長を総合した総帯域を効率良く分配すべく、動的な波長切替も考慮しながらトラヒック量に応じて動的に帯域を割り当てることである。
【００１３】
光多重分離部２３ａ，２３ｂは、第１及び第２光ファイバ１６，１７を介して伝送される光信号としてのデータに対して、多重化、分離、スルー（通過）の何れかの処理を行う。例えば、光多重分離部２３ａは、ＯＳＵ２６ａからのパケットデータを多重化して第１光ファイバ１６を介してノード１４へ伝送し、ノード１２からの光バーストデータを分離してＯＳＵ２６ａへ出力する処理を行う。
【００１４】
ノード１２〜１４における光多重分離部３１ａ，３１ｂも、上記同様に多重化、分離、スルーの何れかの処理を行う。例えば、光多重分離部３１ａは、ＯＮＵ３２ａからのパケットデータを多重化して第１光ファイバ１６を介してノード１２へ伝送し、ノード１４からの光バーストデータを分離してＯＮＵ３２ａへ出力し、又は、ノード１４からの光バーストデータをスルーしてノード１２へ伝送する処理を行う。
【００１５】
ＯＮＵ３２ａ，３２ｂは、ＰＯＮに係るデータの送受信を行う。このＯＮＵ３２ａ，３２ｂは、代表ノード１１のＯＳＵ２６ａ，２６ｂからの光データを受信してＳＷ部３３へ出力し、また、ＳＷ部３３からのパケットデータを受信して、ＯＳＵ２６ａ，２６ｂへ光バースト送信する。ＩＯ部３４ａ〜３４ｎは、ホスト４３ａ〜４３ｎから送信されて来たクライアント信号を終端してＳＷ部３３へ送信し、また、ＳＷ部３３からの信号をクライアント信号としてホスト４３ａ〜４３ｎへ送信する。
【００１６】
このような構成のシステム１０においては、例えばノード１３のＩＯ部３４ａに接続されたホスト４３ａから送信されるクライアント信号を、代表ノード１１のＩＯ部２０ａに接続されたホスト４１ａへ伝送する場合、第１光ファイバ１６を介して矢印Ｙ１で示す右回り、又は第２光ファイバ１７を介して矢印Ｙ２で示す左回りに伝送可能となっている。つまり、２つのリング状の伝送路を利用して右回りと左回りとにデータ伝送が可能となっている。このため、何れか一方の伝送路に障害が発生して伝送不能となった場合に、他方の伝送路でデータ伝送を行うことができる。例えば、第１光ファイバ１６に障害が発生して伝送不能となった場合に、第２光ファイバ１７でデータ伝送を行うことができる。従って、一方の伝送路（矢印Ｙ１）に障害が発生した場合でも、データ伝送を止めること無く、他方の伝送路（矢印Ｙ２）でデータ伝送を行うことができる。
【先行技術文献】
【非特許文献】
【００１７】
【非特許文献１】G. Kramer, B. Mukherjee and G. Pesavento, EthernetPON(ePON): design and analysis of an optical accessnetwork, Phot. Net. Commun.,［online］，3, 2001，［平成２７年９月２５日検索］，インターネット  〈 URL : http://www.www.glenkramer.com/papers/epon_pnc.pdf〉
【非特許文献２】“IEEE Std.802.3ah-2004”，IEEE，2004年，64.3.2.2章 Optional Shared LAN Emulation，［online］，2004，［平成２７年９月２５日検索］，インターネット  〈 URL : http://www.google.co.jp/url?〉
【非特許文献３】N. Nadarajah et al., “Novel Schemes for Local Area Network Emulation in Passive Optical Networks With RF Subcarrier Multiplexed Customer Traffic,”Journal of Lightwave Technology, ［online］，Oct. 2005，［平成２７年９月２５日検索］，インターネット  〈 URL : http://www.google.co.jp/url?sa=t&rct=j&q=&esrc=s&source=web&cd=1&cad〉
【非特許文献４】A. D. Hossain et al., “Ring-based local access PON architecture for supporting private networking capability,” OSA Journal of Optical Networking, vol. 5, no. 1, pp. 26-39, ［online］，Jan. 2006， ［平成２７年９月２５日検索］，インターネット  〈 URL : http://www.eng.uwo.ca/electrical/faculty/shami_a/publications.html〉
【発明の概要】
【発明が解決しようとする課題】
【００１８】
ところで、上述したシステム１０において柔軟な通信形態を提供するためには、異なるノード１２〜１４のＯＮＵ間通信が重要となる。しかし、ＰＯＮでは、基本的にはＯＬＴ２１−ＯＮＵ３２ａ，３２ｂ間の通信のみをサポートしており、任意のノード１２〜１４のＯＮＵ間で直接通信を行うことは不可能である。
【００１９】
ＯＮＵ間通信を実現する手段として、非特許文献２には、あるノードのＯＮＵからのデータをＯＬＴで折り返し、別のノードのＯＮＵに伝送するＯＬＴ折返方式の検討が記載されている。これは、「Ｓｈａｒｅｄ  ＬＡＮ  Ｅｍｕｌａｔｉｏｎ」という呼称で、米国電気電子学会ＩＥＥＥのＥＰＯＮ(Ethernet Passive Optical Network)（Ethernet：登録商標）にオプショナルで定義されている。
【００２０】
ＯＬＴ折返方式を用いた場合に１＋１プロテクションを設定するに当たっては、例えば図９（ａ）に示すように、ノード１２において伝送データをコピー（複写）し、これを、矢印Ｙ３で示す右回り、矢印Ｙ４で示すノード１３を通過する左回りに伝送路を伝送し、これらのデータを代表ノード１１のＯＬＴにて折り返して別のノード１４へ伝送する。又は、図９（ｂ）に示すように、ノード１２において伝送データをコピーし、これを、矢印Ｙ５，Ｙ６で示す右回りへ伝送し、矢印Ｙ５で示すデータは、代表ノード１１のＯＬＴにて右回りに折り返して別のノード１５へ伝送する。一方、矢印Ｙ６で示すデータは、代表ノード１１のＯＬＴにて左回りに折り返してノード１３を通過して左回りに別のノード１４へ伝送する。
【００２１】
しかし、図９（ａ）では、矢印Ｙ４で示すＯＬＴでの折り返し後のデータが、矢印Ｙ３で示すＯＬＴでの折り返し後のデータと同一伝送路を同方向に通ってノード１４へ伝送される。このため、その同一伝送路の光ファイバに障害１００が発生して伝送不能となった場合、コピーした両系のデータが伝送不能となるので、通常１＋１プロテクションで実現可能な他方の伝送路でデータ伝送を継続することが出来なくなる問題が生じる。
【００２２】
また、図９（ｂ）では、矢印Ｙ５，Ｙ６で示すＯＬＴでの折り返し前の両系のデータが、同一伝送路を同方向に通ってＯＬＴへ伝送される。このため、同一伝送路の光ファイバに障害１０１が発生して伝送不能となった場合、ノード１２でコピーした両系のデータが伝送不能となる問題が生じる。
【００２３】
この他、非特許文献３に記載のように、ＯＮＵ間通信を、ＯＬＴ折り返し無しで実現する方式も提案されている。しかし、ＯＬＴの送受信機能が全てのＯＮＵに必要となったり、ＯＮＵのノード間にデータ反射を行わせるための特殊なデバイスが必要となったりするのでコスト高となる問題がある。
【００２４】
更に、ＯＬＴ折り返し無しの構成として、非特許文献４に記載のように、リング上の各ノードのＯＮＵでデータをリレーして伝送する構成が提案されている。しかし、その構成では、ノード間の特殊なデバイスを最小限に抑制したとしても、ＯＮＵがデータを１ノードづつ電気的に受信して送信するので、ノードが数珠つなぎになり、伝送遅延が増加するという問題がある。
【００２５】
本発明は、このような事情に鑑みてなされたものであり、特別なデバイスの追加や電気処理に起因する遅延を増加させることなく、１＋１プロテクション相当の高信頼なＯＮＵ間通信を行うことができる光伝送装置、光集線ネットワークシステム、光伝送方法及びプログラムを提供することを課題とする。
【課題を解決するための手段】
【００２６】
上記課題を解決するための手段として、請求項１に係る発明は、外部装置との間で送受信される信号を終端し、制御主体となる光回線終端装置としてのＯＬＴ(Optical Line Terminal)と、前記制御主体に対して客体となる光回線終端装置としての複数のＯＮＵ(Optical Network Unit)とが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、前記ＯＬＴを介した前記ＯＮＵ間の経路に、独立した論理的な３つのパスを設定する制御を行うパス設定制御手段を備え、前記パス設定制御手段は、前記３つのパスを設定制御する際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行うことを特徴とする光伝送装置である。
【００２７】
請求項６に係る発明は、外部装置との間で送受信される信号を終端し、制御主体となる光回線終端装置としてのＯＬＴを有する第１光伝送装置と、前記制御主体に対して客体となる光回線終端装置としてのＯＮＵを有する複数の第２光伝送装置と、前記第１光伝送装置及び前記第２光伝送装置をリング状に接続し、当該リング状の経路に相反方向にデータを伝送する２本の光伝送路とを有し、データが一方の前記ＯＮＵから前記ＯＬＴで折り返して他方の前記ＯＮＵへ伝送される光集線ネットワークシステムであって、前記第１光伝送装置に、前記ＯＬＴを介した前記ＯＮＵ間の経路に、独立した論理的な３つのパスを設定する制御を行うパス設定制御手段を備え、前記パス設定制御手段は、前記３つのパスを設定制御する際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行うことを特徴とする光集線ネットワークシステムである。
【００２８】
請求項７に係る発明は、外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、前記光伝送装置は、前記ＯＬＴを介した前記ＯＮＵ間の経路に、独立した論理的な３つのパスを設定する制御を行うステップと、前記設定する制御を行う際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行うステップと、を実行することを特徴とする光伝送方法である。
【００２９】
請求項８に係る発明は、外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置としてのコンピュータを、前記ＯＬＴを介した前記ＯＮＵ間の経路に、独立した論理的な３つのパスを設定する制御を行う手段、前記設定の制御を行う際に、データが前記ＯＮＵから前記２本の光伝送路を相反方向に介して前記ＯＬＴへ向かうＯＮＵとＯＬＴ間の少なくとも２経路と、前記ＯＬＴで折り返したデータが前記２本の光伝送路を相反方向に介して前記ＯＮＵへ向かうＯＬＴとＯＮＵ間の少なくとも２経路とを組合せた少なくとも４経路の内の異なる３経路に、前記３つのパスを設定する制御を行う手段、として機能させるためのプログラムである。
【００３０】
上記の請求項１，６，７，８の構成によれば、次のような作用効果を得ることができる。ＯＮＵとＯＬＴ間と、ＯＬＴとＯＮＵ間とは、各々が、リング状の２本の光伝送路で相反方向に伝送可能に接続されているので、少なくとも４経路が存在する。この４経路の内の異なる３経路に、独立した３つのパスを設定し、この設定された３つのパスに同一のデータを伝送させる。これによって、データ伝送の始点と終点のＯＬＴで折り返すＯＮＵ間において、一方の光伝送路に伝送不能状態に障害が発生しても、他方の光伝送路でデータを伝送することができる。従って、特別なデバイスの追加やノード毎の電気的な処理に起因する遅延を増加させることなく、１＋１プロテクション相当の高信頼なＯＮＵ間通信を行うことができる。
【００３１】
請求項２に係る発明は、前記パス設定制御手段は、前記ＯＮＵとＯＬＴ間及び前記ＯＬＴとＯＮＵ間において、前記２本の光伝送路で相反方向にデータ伝送が行なわれる各経路から遅延の少ない経路順に前記３つのパスを設定する制御を行うことを特徴とする請求項１に記載の光伝送装置である。
【００３２】
この構成によれば、遅延が少ない経路順に３つのパスを設定してデータ伝送を行うので、遅延の少ない高速な伝送を行うことができる。
【００３３】
請求項３に係る発明は、前記パス設定制御手段は、前記ＯＬＴを介した前記ＯＮＵ間の通信を行う際に、各ＯＮＵに対して複数波長を総合した総帯域を所定帯域に分配可能なように、動的に波長を切替えて帯域を割り当てる制御を行うことを特徴とする請求項１又は２に記載の光伝送装置である。
【００３４】
この構成によれば、ＯＬＴの折り返しによるＯＮＵ間通信において、動的な帯域割当を行うことで、波長と帯域を動的に柔軟に割り当てることができるので、効率的な通信を実現することができる。
【００３５】
請求項４に係る発明は、外部装置との間で送受信される信号を終端し、制御主体となる光回線終端装置としてのＯＬＴと、前記制御主体に対して客体となる光回線終端装置としての複数のＯＮＵとが、少なくとも２本の光伝送路でリング状に接続され、当該２本の光伝送路を同一データが経由する際に、一方の前記ＯＮＵから前記ＯＬＴで折り返して他方の前記ＯＮＵへ伝送されるネットワークに用いられる前記ＯＬＴを有する光伝送装置であって、前記ＯＬＴは、前記ＯＬＴを介した前記ＯＮＵ間の経路において、前記ＯＮＵから前記２本の光伝送路を介して前記ＯＬＴに向かう上り経路に２つのパスを設定し、当該２つのパスの内の一方を、前記ＯＬＴで折り返す折返点で２分岐し、この２分岐したパスに前記２つのパスの内の他方を加えた３つのパスを、前記ＯＬＴの折返点から前記２本の光伝送路を介して前記ＯＮＵに向かう下り経路に設定するように制御を行うパス設定制御手段と、前記上り経路の２つのパスを経由してきた２つのデータの内の一方のデータを複写して２つのデータとするコピー部と、前記複写された２つのデータを前記折返点で２分岐されたパスへ伝送するマルチプレクサ部とを備えることを特徴とする光伝送装置である。
【００３６】
この構成によれば、データ伝送の始点と終点のＯＬＴで折り返すＯＮＵ間の２本の光伝送路を相反方向に介した上り及び下り経路において、一方の光伝送路に伝送不能状態に障害が発生しても、他方の光伝送路でデータを伝送することができる。更に、上り経路の設定パスが２つで済むので、帯域消費を小さくすることができる。
【００３７】
請求項５に係る発明は、前記ＯＬＴに、当該ＯＬＴで折り返されるデータの負荷と、当該ＯＬＴから前記ＯＮＵへ向かって伝送されるデータの負荷とを合計した負荷量を監視するモニタ部を備え、前記パス設定制御手段は、前記上り経路への２つのパス設定及び前記下り経路への３つのパス設定である第１パス設定が成されている際に、前記モニタ部で監視される負荷量が予め定められた第１負荷量以上となった場合、前記ＯＬＴを介した前記ＯＮＵ間の経路に、独立した論理的な３つのパスを設定する第２パス設定に切り替え、前記第２パス設定が成されている際に、前記モニタ部で監視される負荷量が予め定められた第２負荷量以下となった場合に、前記第１パス設定に切り替える制御を行うことを特徴とする請求項４に記載の光伝送装置である。
【００３８】
この構成によれば、次のような作用効果を得ることができる。第１パス設定では、ＯＬＴ内において、通信の負荷量が増大すると、通常のＯＬＴからＯＮＵへの下り通信データに加えて、ＯＬＴ内での分岐及び折返し処理のための通信データとの輻輳が生じる可能性がある。そこで、第１パス設定中に、ＯＬＴ内の通信の負荷量をモニタ部で監視し、この監視負荷量が予め定められた第１負荷量以上となった場合に、第２パス設定に切替制御を行う。この第２パス設定では、第１パス設定のように、ＯＬＴ内での分岐及び折返し処理が無いので、上記の輻輳を無くすことができる。また、第２パス設定中に、第２負荷量以下となった場合に、第１パス設定に切り替えるので、帯域消費を小さくすることもできる。
【発明の効果】
【００３９】
本発明によれば、特別なデバイスの追加や電気処理に起因する遅延を増加させることなく、１＋１プロテクション相当の高信頼なＯＮＵ間通信を行うことができる光伝送装置、光集線ネットワークシステム、光伝送方法及びプログラムを提供することができる。
【図面の簡単な説明】
【００４０】
【図１】本発明の第１実施形態に係る光集線ネットワークシステムの構成を示すブロック図である。
【図２】第１実施形態のノードの構成及びコピーされたデータの流れを示すブロック図である。
【図３】第１実施形態のノードの構成及び複数のデータの選択様態を示すブロック図である。
【図４】第１実施形態のノードのＯＮＵの一構成例を示すブロック図である。
【図５】本発明の第２実施形態に係る光集線ネットワークシステムの構成を示すブロック図である。
【図６】第２実施形態の代表ノードの構成及びコピーされたデータの流れを示すブロック図である。
【図７】第２実施形態のノードの構成及びコピーされたデータの流れを示すブロック図である。
【図８】リングトポロジにＰＯＮを適用した場合の光集線ネットワークシステムの構成を示すブロック図である。
【図９】従来の光集線ネットワークシステムにおいて、（ａ）ＯＬＴでの折り返し後の光ファイバに障害が発生した様子を示し、（ｂ）ＯＬＴでの折り返し前の光ファイバに障害が発生した様子を示すブロック図である。
【発明を実施するための形態】
【００４１】
以下、本発明の実施形態を、図面を参照して説明する。
＜第１実施形態の構成＞
図１は、本発明の第１実施形態に係る光集線ネットワークシステムの構成を示すブロック図である。但し、図１に示す光集線ネットワークシステム（システム）１０Ａにおいて、図８に示した従来のシステム１０に対応する部分には同一符号を付し、その説明を省略する。
【００４２】
図１に示す第１実施形態のシステム１０Ａは、従来のシステム１０と同様に、代表ノード１１Ａ及び複数のノード１２Ａ，１３Ａ，１４Ａが、物理的に独立した２本の信号伝送路としての第１光ファイバ１６及び第２光ファイバ１７によってリング状に接続されている。このリング状の各光ファイバ１６，１７によって、矢印で示す右回り方向と左回り方向のように互いに異なる方向にデータを伝送可能となっている。従って、各光ファイバ１６，１７に矢印で示す右回り方向及び左回り方向は、その逆方向であってもよい。但し、各光ファイバ１６，１７は同一回り方向にデータ伝送を行うことも可能である。
【００４３】
第１実施形態の特徴は、２本の光ファイバ１６，１７でリング状に接続された代表ノード１１Ａ及び複数のノード１２Ａ〜１４Ａの内、始点ノード（例えば１２Ａ）と終点ノード（例えば１４Ａ）のＯＮＵ間に、ＯＬＴ２１Ａで折り返す３つのパスを次のように設定した点にある。即ち、矢印Ｙ１１で示す現用ＯＬＴ折返パス（現用パス）と、矢印Ｙ１２で示す予備ＯＬＴ折返パス（予備パス）と、矢印Ｙ１３で示す冗長用ＯＬＴ折返パス（冗長用パス）との合計３つのパスを設定し、始点から各パスＹ１１〜Ｙ１３を通って終点までデータを伝送してＯＮＵ間通信を実現した点にある。これによって、以降詳細に説明するように、特別なデバイスの追加やノード毎の電気的な処理に起因する遅延を増加させることなく、従来と略同様な設備量で、１＋１プロテクション相当の高信頼なＯＮＵ間通信を行うことを可能とした。なお、ＯＬＴ２１Ａは制御主体であり、ＯＮＵは制御主体に対する客体である。
【００４４】
但し、ＯＬＴ２１Ａでの折り返しは、例えば、現用パスＹ１１であれば、ＯＬＴ２１ＡのＯＳＵ２６ＡａからＳＷ部２５へ入ってここで折り返され、再度ＯＳＵ２６Ａａへ入るように行なわれる。このような折り返しパスにおいて、各ノード１２Ａ〜１４ＡのＯＮＵからＯＬＴ２１Ａへ伝送されるデータの伝送方向を上り方向、この逆に、ＯＬＴ２１ＡからＯＮＵへ伝送されるデータの伝送方向を下り方向と定める。
【００４５】
代表ノード１１Ａは、複数のＩＯ部２０ａ〜２０ｎと、ＯＬＴ２１Ａと、光多重分離部２３ａ，２３ｂとを備えて構成されている。ＯＬＴ２１Ａは、ＳＷ部２５と、複数のＯＳＵ２６Ａａ，２６Ａｂと、ＤＷＢＡ機能部２７Ａとを備えて構成されている。各ＯＳＵ２６Ａａ，２６Ａｂは何れも同構成であり、ＯＳＵ２６Ａａに代表して示すように、ＯＡＭ(Operations, Administration, Maintenance)機能部５１及びバッファ部５２を備える。ＤＷＢＡ機能部２７Ａは、ＩＦ（インターフェイス）５３を介してＳＷ部２５に接続されると共に、各ＯＳＵ２６Ａａ，２６Ａｂにも接続されている。更に、ＤＷＢＡ機能部２７は、ＩＦ５４を介して代表ノード１１Ａの外部のＯｐＳ（オペレーションシステム）５６に接続されている。
【００４６】
代表ノード１１Ａにおいて、複数のＩＯ部２０ａ〜２０ｎは、背景技術で説明したように、外部装置としての複数のホストコンピュータ（ホスト）４１ａ〜４１ｎと１対１で接続されて、ホスト４３ａ〜４３ｎと信号送受信を行うＳＮＩ−ＬＴである。これらのＩＯ部２０ａ〜２０ｎは、ホスト４１ａ〜４１ｎから送信されて来たクライアント信号を終端してＳＷ部２５へ送信し、また、ＳＷ部２５からの光バーストデータをクライアント信号に変換してホスト４１ａ〜４１ｎへ送信する。
【００４７】
ノード１２Ａ〜１４Ａの各ＩＯ部３４Ａａ〜３４Ａｎ（図２）にも、外部の複数のホスト４２ａ〜４２ｎ，４３ａ〜４３ｎ，４４ａ〜４４ｎが１対１で接続されている。
【００４８】
代表ノード１１のＳＷ部２５は、前述したように、事前に設定されたＭＡＣアドレスとポートとの対応テーブルに従い、ＭＡＣアドレスによる宛先のホスト（例えば４１ａ）へ、ＯＳＵ２６ＡａからのパケットデータをＩＯ部２０ａを介して転送する。
【００４９】
ＯＳＵ２６Ａａ，２６Ａｂは、ノード１２Ａ〜１４ＡのＯＮＵからの光バーストデータを受信してＳＷ部２５へ出力し、また、ＳＷ部２５からのパケットデータを受け取り、ＯＮＵへ光データ送信する。この構成では、ＯＳＵ２６Ａａ，２６ＡｂとＯＮＵ間がＰＯＮ区間となっている。
【００５０】
ＤＷＢＡ機能部２７Ａは、背景技術で説明した動的波長帯域割当の機能を有すると共に、現用パスＹ１１、予備パスＹ１２及び冗長用パスＹ１３の３つのパスをデータ伝送の始点と終点の間に設定するパス設定制御を行う。このパス設定制御は、システム１０Ａを運用する外部のＯｐＳ５６をＤＷＢＡ機能部２７Ａと連携させ、ＯｐＳ５６が行なってもよい。ＯｐＳ５６では、人が任意にパス設定制御を行うことも可能である。また、３つのパスは矢印Ｙ１１〜Ｙ１３で示してあるが、ノード１４Ａから１２Ａへ向かう逆向きにもデータ伝送可能である。なお、ＤＷＢＡ機能部２７Ａ又はＯｐＳ５６は、請求項記載のパス設定制御手段を構成する。
【００５１】
パス設定制御では、２本の光ファイバ１６，１７を介して接続されるＯＬＴ２１ＡとＯＮＵ間の４通りの経路（後述）に、現用、予備及び冗長用の３つのパスＹ１１〜Ｙ１３を後述のように設定する。４通りの経路とは、例えばノード１２ＡのＯＮＵとＯＬＴ２１間を２本の光ファイバ１６，１７を相反方向に介して伝送する上りの２経路と、ＯＬＴ２１Ａとノード１４ＡのＯＮＵを２本の光ファイバ１６，１７を相反方向に介して伝送する下りの２経路の組合せによるものである。
【００５２】
ＤＷＢＡ機能部２７Ａは、パス設定制御によって、始点（ノード１２Ａ）のＯＮＵから第１光ファイバ１６を介してＯＬＴ２１Ａへ向かう上り方向の経路に、独立した２つのパスＹ１１，Ｙ１３を設定し、この設定経路と逆方向にデータ伝送を行う第２光ファイバ１７を介する上り経路に、残りの１つのパスＹ１２を設定する。更に、ＯＬＴ２１Ａで折り返して第１光ファイバ１６を介して終点（ノード１４Ａ）のＯＮＵへ向かう下り経路に、前記上りのペアと異なる２つのパスＹ１１，Ｙ１２を設定し、この設定経路と逆方向の第２光ファイバ１７を介する経路に、残りの１つのパスＹ１３を設定する。
【００５３】
言い換えれば、ＤＷＢＡ機能部２７Ａは、３つのパスＹ１１〜Ｙ１３の設定制御を行う際に、データが始点のＯＮＵから２本の光ファイバ１６，１７を相反方向に介してＯＬＴ２１Ａへ向かうＯＮＵ−ＯＬＴ間と、ＯＬＴ２１Ａで折り返したデータが２本の光ファイバ１６，１７を相反方向に介して終点のＯＮＵへ向かうＯＬＴ−ＯＮＵ間とにおいて、３つのパスＹ１１〜Ｙ１３の内の２つのパスＹ１１，Ｙ１３が一方の光ファイバ１６側に設定され、残りの１つのパスＹ１２が他方の光ファイバ１７に設定されるように制御を行う。
【００５４】
このように３つのパスＹ１１〜Ｙ１３を設定することによって、上り下りの各々の経路において、一方の光ファイバ１６に伝送不能状態に障害が発生しても、他方の光ファイバ１７でデータ伝送が可能となっている。
【００５５】
次に、このような３つのパスＹ１１〜Ｙ１３にデータを伝送するノード１２Ａ〜１４Ａの構成について説明する。ノード１２Ａ〜１４Ａは何れも同構成であり、図２及び図３にノード１２Ａ，１４Ａを代表して示す。図２に示すノード１２Ａは、複数の光多重分離部３１ａ，３１ｂと、複数のＯＮＵ３２Ａａ，３２Ａｂと、ポート１ａ，１ｂ，１ｃ，１ｄを有するＳＷ部３３と、複数のＩＯ部３４Ａａ〜３４Ａｎとを備えて構成されている。各ＯＮＵ３２Ａａ，３２Ａｂは、ＯＮＵ３２Ａａに代表して示すように、ＯＡＭ機能部６１及びバッファ部６２を備える。ポート１ａ〜１ｄは、ＯＮＵ３２Ａａ，３２ＡｂとＩＯ部３４Ａａ〜３４Ａｎとを接続する。
【００５６】
各ＩＯ部３４Ａａ〜３４Ａｎは、ＩＯ部３４Ａａに代表して示すように、クライアント信号終端変換部（終端変換部）６５と、コピー部６６と、セレクト部６７と、ＴＲＸ（トランシーバ）２ｂとを備えて構成されている。ＴＲＸ２ｂは、ホスト４２ａのＴＲＸ２ａとネットワーク接続されており、ＴＲＸ２ａと信号の送受信を行う。
【００５７】
終端変換部６５は、ホスト４２ａからＴＲＸ２ａ，２ｂを介して送信されて来たクライアント信号を終端し、これをクライアントデータＤ１としてコピー部６６へ出力する。また、終端変換部６５は、図３に示すようにＯＮＵ３２ａ，３２ｂからＳＷ部３３を介してセレクト部６７に入力され、セレクト部６７で選択されたクライアントデータＤ１ｓをクライアント信号に変換してＴＲＸ２ｂへ出力する。なお、光バーストデータは、単にデータとも称す。
【００５８】
図２に戻って、コピー部６６は、終端変換部６５から入力されたデータＤ１を、符号Ｄ１１，Ｄ１２，Ｄ１３で示す３つのデータにコピーし、このコピーされた３つのデータＤ１１〜Ｄ１３をＳＷ部３３へ出力する。この際、コピー部６６は、３つのデータＤ１１〜Ｄ１３に所定のパスＹ１１〜Ｙ１３を通ることを指示するラベル付与等を行って、ＳＷ部３３へ出力する。ＳＷ部３３は、３つのデータＤ１１〜Ｄ１３をＯＮＵ３２Ａａ，３２Ａｂを介して上述した３つのパスＹ１１〜Ｙ１３へ伝送する。
【００５９】
ここで、より詳細なコピー処理例について説明する。まず、ホスト４２ａ又は終端変換部６５が、データＤ１にＯＬＴ２１Ａでの折り返し通信用の後述のラベルを付与し、コピー部６６がそのラベルをもとにコピー及び伝送経路を判断する。この際、コピー部６６は、折り返し通信用のラベルが付与されたデータＤ１に対して、コピーと、後述するラベル書き換え又はカプセリングとを行い、この処理後のデータＤ１１〜Ｄ１３に同一のシーケンスナンバを付与してＳＷ部２５へ出力する。
【００６０】
上述したラベルは、ＶＬＡＮ(Virtual Local Area Network)タグ、ＭＰＬＳ(Multi Protocol Label Switching)ラベル等である。また、ラベル書き換えとは、例えばホスト４２ａ又は終端変換部６５でデータＤ１に付与されたラベルＡを、コピー後のデータＤ１１，Ｄ１２，Ｄ１３に付与するためのラベルＡ１１，Ａ１２，Ａ１３に書き換えることである。カプセリングとは、データＤ１のラベルＡを、ラベルＢに入れてラベルＢＡとし、このラベルＢＡをコピー後のデータＤ１１に付与することである。同様に、ラベルＡを、ラベルＣに入れてラベルＣＡとし、このラベルＣＡをコピー後のデータＤ１２に付与し、ラベルＡを、ラベルＤに入れてラベルＤＡとし、このラベルＤＡをコピー後のデータＤ１３に付与することである。
【００６１】
次に、セレクト部６７は、図３に示すように、３つのパスＹ１１〜Ｙ１３を介して伝送されてきた３つのデータＤ１１〜Ｄ１３から１つを選択し、この選択された１つのデータＤ１ｓを終端変換部６５へ入力する。終端変換部６５は、その入力データＤ１ｓをクライアント信号に変換してＴＲＸ２ｂへ出力する。この出力されたクライアント信号は、ＴＲＸ２ｂ，２ａ間で送受信され、ホスト４４ａで処理される。但し、図２及び図３では、ノード１２Ａからノード１４Ａにデータが伝送される様態を矢印Ｄ１１〜Ｄ１３で示して説明したが、この逆方向にパスを設定すれば逆方向にもデータ伝送が可能である。
【００６２】
セレクト部６７は、上述した選択を行う場合、コピー部６６でコピーされたデータか否かを判定し、コピーされたデータＤ１１〜Ｄ１３である場合、データの後述する先着優先処理や後着待合せ処理等によって、１つのデータ（例えばＤ１１）のみを選択して終端変換部６５へ入力する。
【００６３】
先着優先処理とは、セレクト部６７が保持するシーケンスナンバｎと同一のシーケンスナンバｎが付与されたデータＤ１１〜Ｄ１３の内、最も早く到着したデータ（例えばＤ１１）を終端変換部６５へ入力し、後着の同一シーケンスナンバｎのデータＤ１２，Ｄ１３は破棄する。この後、セレクト部６７は、保持するシーケンスナンバをｎ＋１に更新する。
【００６４】
後着待合せ処理とは、セレクト部６７が保持するシーケンスナンバｎと同一のシーケンスナンバｎが付与されたデータＤ１１〜Ｄ１３が全て到着するか、又は、最も早いデータ（例えばＤ１１）が到着してから所定時間経過後に、現時点での到着データ中でラベルが最も若番のデータ（例えばＤ１１）を終端変換部６５へ入力する。この後、セレクト部６７は、保持するシーケンスナンバをｎ＋１に更新する。終端変換部６５は、その入力されたデータＤ１１のラベルを元のラベルに書き換える。若しくはデカプセリングし、元のデータＤ１１を得た後、このデータＤ１１（Ｄ１ｓ）がホスト４４ａへ送信される。
【００６５】
ところで、図１に示すＤＷＢＡ機能部２７Ａは、上述した３つのパスＹ１１〜Ｙ１３を設定する際に、４通りの経路のデータ伝送の負荷が大きい経路は避け、負荷が小さい経路に設定を行うようにしてもよい。その負荷は、トラフィック量又は遅延情報であり、トラフィック量は、ＤＷＢＡ機能部２７Ａが検出する。この検出トラフィック量は、ＯｐＳ５６で運用者が確認可能となっている。また、トラフィック量が大きいと、遅延も増加するので、このトラフィック量と遅延との関係に従った遅延情報を負荷情報として用いてもよい。
【００６６】
その遅延情報については、図２及び図３に示すＯＮＵ３２Ａａ，３２Ａｂ並びに、図１に示す代表ノード１１ＡのＯＳＵ２６Ａａ，２６Ａｂに備えられたＯＡＭ機能部５１によって、後述のように測定可能となっている。但し、ＯＮＵ３２Ａａ，３２Ａｂは、ＯＳＵ２６Ａａ，２６Ａｂと同様に、バッファ部５２も備える。
【００６７】
ＯＡＭ機能部５１は、ネットワークの運用・管理・保守を行うための機能であり、イーサネット（登録商標）の場合は、Ｅｔｈｅｒｎｅｔ ＯＡＭ情報（ＯＡＭフレーム）を経路に流すことにより取得したネットワークの性能情報から遅延を検出し、この検出された遅延をＤＷＢＡ機能部２７Ａへ伝える。但し、その性能情報は、ＩＴＵ−Ｔ（国際電気通信連合電気通信標準化部門）により国際勧告「Ｙ．１７３１」として標準化されている。ＯＡＭ機能部５１は、その標準化された中のパフォーマンスメジャメント等の性能情報をそのまま用いて、各経路の遅延時間を定期的に測定している。この遅延時間は、例えば１秒、２秒、３秒のように実測でき、ＤＷＢＡ機能部２７Ａは、その実測値の中で遅延時間が少ない順番に経路を選択する。
【００６８】
又は、ＤＷＢＡ機能部２７Ａは、ネットワーク内に上記のように配備されたバッファ部５２のバッファ情報（キュー情報）を把握し、バッファ長（キュー長）が短い経路、言い換えればバッファ量が少なく、低負荷な経路を選択してもよい。このように、ＤＷＢＡ機能部２７Ａは、バッファ部５２のバッファ情報を把握することにより、前述の非特許文献２等で規定されている上り方向のバッファ情報に加えて、新たに下り方向のバッファ情報を併用することにより、上りと下り経路に跨った柔軟なパス設定が可能となっている。既存のＰＯＮでは、ＯＮＵからの上りのバッファ量のみをＤＷＢＡ機能部が管理するようになっていた。
【００６９】
ＰＯＮにおいては、ＯＮＵ３２Ａａ，３２Ａｂは、上り方向のデータをバッファリング（保持）するバッファ部５２に溜まった情報量（データ量）をＯＬＴ２１Ａへ送信可能となっている。また、ＯＳＵ２６Ａａ，２６Ａｂのバッファ部５２は、下り方向のデータをバッファリングする。なお、バッファ部５２がバッファ量をＯＬＴ２１ＡのＤＷＢＡ機能部２７Ａへ送信するものとする。
【００７０】
このため、ＯＬＴ２１Ａ内のＤＷＢＡ機能部２７Ａは、経路毎の各バッファ部５２にどれ位の情報量が溜まっているかを検出し、言い換えれば、経路毎のバッファ量に応じた遅延量を検出して、低負荷な経路を選択できる。
【００７１】
ここで、その低負荷な経路の選択に必要なキュー情報（バッファ情報）を、ＤＷＢＡ機能部２７Ａへ送信するＯＮＵ３２Ａａ（３２Ａｂ）の一構成例を図４に示し、その説明を行う。
図４に示すように、ＯＮＵ３２Ａａは、ＯＡＭ機能部５１及びバッファ部５２（図２又は図３参照）としてのキュー部５２ａ，５２ｂと、ポート１ｅ，１ｂ，１ｃを介してＳＷ部３３に接続されたクライアントＰＨＹ部（符号化／復号化、等を行うレイヤ１の処理機能部）７１と、クラシファイア部７２と、キュー読出部７３，７４と、キューモニタ部７５と、パケットモニタ部７６と、通知信号作成部７７ａ，７７ｂと、モニタ信号作成指示設定部７８と、データＭＵＸ（マルチプレクサ）部７９と、ＰＯＮＰＨＹデータ分離部（分離部）８０と、送信指示情報キュー部８１と、送信部８２と、受信部８３とを備えて構成されている。データＭＵＸ部７９は、ＭＵＸ部７９とも称す。
【００７２】
本構成の特徴要素は、クラシファイア部７２、パケットモニタ部７６及びＭＵＸ部７９である。クラシファイア部７２は、図２に示すホスト４２ａから受信したデータＤ１１又はＤ１３がＯＬＴ折返対象の信号か否かを識別により判定し、ＯＬＴ折返対象の信号、ＯＬＴ折返対象でない信号毎にキュー部５２ａの所定格納部に格納する。この格納されるデータは、キューモニタ部７５でその格納量等が監視されると共に、キュー読出部７３で読み出され、ＭＵＸ部７９へ入力される。
【００７３】
ＭＵＸ部７９は、その入力される通常のデータと、後述の通知信号作成部７７ａ，７７ｂで作成された通知信号である上りキュー情報、下りキュー情報、遅延情報、並びに、後述のＯＡＭ機能部５１からのＯＡＭ関連情報を多重化する。この多重化されたデータ信号は、分離部８０を介して送信部８２から光多重分離部３１ａ又は３１ｂを介してＯＬＴ２１Ａ（図１）へ送信される上りデータとなる。
【００７４】
一方、ＯＬＴ２１Ａで折り返されたデータは、光多重分離部３１ａ又は３１ｂを介して受信部８３で受信され、分離部８０へ入力される。分離部８０は、入力データからＯＡＭフレームを分離してＯＡＭ機能部５１へ出力する。ＯＡＭ機能部５１は、そのＯＡＭフレームからＯＬＴ２１Ａとの間の伝送路の遅延を検出し、この検出された遅延情報をＭＵＸ部７９へ出力して、最終的にＤＷＢＡ機能部２７Ａ（図１）へ伝える。また、分離部８０は、当該分離部８０に入力される送受信制御信号を送信指示情報キュー部８１へ出力する。送信指示情報キュー部８１は、その送受信制御信号に応じてキュー読出部７３での読み出し、並びに、送信部８２でのデータ送信を指示する。
【００７５】
また、分離部８０で分離された下りデータは、キュー部５２ｂに格納された後、キュー読出部７４で読み出されてクライアントＰＨＹ部７１からＳＷ部３３を介して、最終的にホスト（例えば図３の４４ａ）へ出力される。この際、キュー部５２ｂに格納された下りデータは、パケットモニタ部７６で監視される。そのモニタ部７６は、キュー部５２ｂに格納された下りデータのキュー状態を監視し、下りの平均キュー長（バッファ長）、最大キュー長（最大バッファ長）、パケット処理遅延情報、キュー溢れ量等を、モニタ信号作成指示設定部７８の指示に応じて取得し、これを通知信号作成部７７ｂへ入力する。
【００７６】
通知信号作成部７７ｂは、そのパケットモニタ部７６からの入力情報及びモニタ信号作成指示設定部７８の指示情報に応じて通知信号を作成してＭＵＸ部７９へ入力する。通知信号作成部７７ａは、上述したキューモニタ部７５からの入力情報及びモニタ信号作成指示設定部７８からの指示情報に応じて通知信号を作成してＭＵＸ部７９へ入力する。
【００７７】
この他、図１に示すＤＷＢＡ機能部２７Ａは、ＯＮＵ間通信においても動的な帯域の割り当て制御を、次のように行うことができる。即ち、一般的なＯＬＴ−ＯＮＵ間の通信においては、ＰＯＮ−ＤＢＡ（動的帯域割当）により、効率的な通信を行うために、動的に各ＯＮＵに帯域が割り当てられる。言い換えれば、ＯＬＴ２１Ａを介したＯＮＵ間の通信を行う際に、各ＯＮＵに対して複数波長を総合した総帯域を所定帯域に分配可能なように、動的に波長を切替えて帯域を割り当てることである。
【００７８】
この動的な帯域割り当ては、本実施形態のようにＯＬＴ２１Ａで折返すパスのトラヒックを含めてＤＷＢＡ（動的波長帯域割当）又はＤＢＡを行っても実現可能である。そこで、ＤＷＢＡ機能部２７Ａが、ＯＬＴ２１Ａの折り返しによるＯＮＵ間通信において、ＤＷＢＡ又はＤＢＡにより動的な帯域割当を行うことで、波長と帯域を動的に柔軟に割り当てることが可能となっている。
【００７９】
また、ＯＬＴ２１Ａにおいては、ＤＷＢＡ機能部２７ＡがＩＦ５３を介してＳＷ部２５と接続されている。この接続により、ＤＷＢＡ機能部２７Ａは、ＳＷ部２５と制御信号を遣り取りして連携を取り、ＯＮＵ間の各パスＹ１１〜Ｙ１３のデータ伝送を制御する。この制御では、ＯＬＴ−ＯＮＵ間通信だけではなく、ＯＮＵ間通信にも、通信量を一定の水準に抑えるシェーピングの制御や、データ伝送をあるパスに集中させる制御等が可能となる。
【００８０】
＜第１実施形態の効果＞
以上説明した第１実施形態の特徴及びその効果を、図１を主に参照して説明する。
（１）代表ノード１１Ａが、ＯＬＴ２１Ａを介したＯＮＵ間の経路に、独立した論理的な３つのパスＹ１１〜Ｙ１３を設定する制御を行うＤＷＢＡ機能部２７Ａを備える。ＤＷＢＡ機能部２７Ａは、３つのパスＹ１１〜Ｙ１３を設定制御する際に、データがＯＮＵから２本の光ファイバ１６，１７を相反方向に介してＯＬＴ２１Ａへ向かうＯＮＵとＯＬＴ２１Ａ間の少なくとも２経路と、及びＯＬＴ２１Ａで折り返したデータが２本の光ファイバ１６，１７を相反方向に介してＯＮＵへ向かうＯＬＴ２１ＡとＯＮＵ間の少なくとも２経路とを組合せた少なくとも４経路の内の異なる３経路に、３つのパスＹ１１〜Ｙ１３を設定する制御を行うようにした。
【００８１】
これによって、次のような効果を得ることができる。即ち、ＯＮＵとＯＬＴ２１Ａ間と、ＯＬＴ２１ＡとＯＮＵ間とは、各々が、リング状の２本の光ファイバ１６，１７で相反方向に伝送可能に接続されているので、少なくとも４経路が存在する。この４経路の内の異なる３経路に、独立した３つのパスＹ１１〜Ｙ１３を設定し、この設定された３つのパスＹ１１〜Ｙ１３に同一のデータを伝送させる。これによって、データ伝送の始点と終点のＯＬＴ２１Ａで折り返すＯＮＵ間において、一方の光ファイバ１６に伝送不能状態に障害が発生しても、他方の光ファイバ１７でデータを伝送することができる。従って、特別なデバイスの追加や遅延を増加させることなく、１＋１プロテクション相当の高信頼なＯＮＵ間通信を行うことができる。
【００８２】
（２）パス設定制御手段（後述）が、ＯＮＵとＯＬＴ２１Ａ間及びＯＬＴ２１ＡとＯＮＵ間において、２本の光ファイバ１６，１７で相反方向にデータ伝送が行なわれる各経路から遅延の少ない経路順に３つのパスを設定する制御を行うようにした。
【００８３】
これによって、遅延の少ない経路順に３つのパスを設定してデータ伝送を行うので、遅延の少ない高速な伝送を行うことができる。
【００８４】
この各経路から遅延の少ない経路順に３つのパスを設定する制御を行う例として、次の（２−１）〜（２−３）の３つの例が挙げられる。
【００８５】
（２−１）パス設定制御手段としてのＤＷＢＡ機能部２７Ａが、ＯＮＵとＯＬＴ２１Ａ間及びＯＬＴ２１ＡとＯＮＵ間において、２本の光ファイバ１６，１７で相反方向にデータ伝送が行なわれる各経路のトラフィック量を検出し、この検出されたトラフィック量が少ない経路順に３つのパスを設定する制御を行う。
【００８６】
これによって、トラフィック量が少ない経路順に３つのパスを設定してデータ伝送を行うので、遅延の少ない高速な伝送を行うことができる。
【００８７】
（２−２）ＯＮＵ及びＯＬＴ２１Ａに、伝送路の性能を測定するためのＯＡＭフレーム（ＯＡＭ情報）を複数の経路に流して当該複数の経路の遅延情報を得るパス設定制御手段としてのＯＡＭ機能部５１を備える。ＯＡＭ機能部５１は、ＯＮＵとＯＬＴ２１Ａ間及びＯＬＴ２１ＡとＯＮＵ間において、２本の光ファイバ１６，１７で相反方向にデータ伝送が行なわれる各経路にＯＡＭフレームを流して各経路の遅延情報を取得して遅延が少ない経路順に３つのパスＹ１１〜Ｙ１３を設定する制御を行う。
【００８８】
これによって、遅延が少ない経路順に３つのパスを設定してデータ伝送を行うので、高速な伝送を行うことができる。
【００８９】
（２−３）ＯＮＵ及びＯＬＴ２１Ａに、ＯＮＵとＯＬＴ２１Ａ間及びＯＬＴ２１ＡとＯＮＵ間において、２本の光ファイバ１６，１７で相反方向にデータ伝送が行なわれる各経路に伝送されるデータを保持するバッファ部５２を備える。パス設定制御手段としてのＤＷＢＡ機能部２７Ａは、バッファ部５２に保持されたデータ量を取得し、この取得されたデータ量が少ないバッファ部５２が介在する経路順に３つのパスを設定する制御を行う。
【００９０】
これによって、各経路に伝送されるデータを保持し、この保持データ量が少ないバッファ部５２が介在する経路順に３つのパスを設定してデータ伝送を行うので、高速な伝送を行うことができる。
【００９１】
（３）ＤＷＢＡ機能部２７Ａは、ＯＬＴ２１Ａを介したＯＮＵ間の通信を行う際に、各ＯＮＵに対して複数波長を総合した総帯域を所定帯域に分配可能なように、動的に波長を切替えて帯域を割り当てる制御を行うようにした。
【００９２】
これによって、ＯＬＴ２１Ａの折り返しによるＯＮＵ間通信において、動的な帯域割当を行うことで、波長と帯域を動的に柔軟に割り当てることができるので、効率的な通信を実現することができる。
【００９３】
次に、光伝送方法について説明する。この方法では、外部装置（ホスト）との間で送受信される信号を終端し、制御主体となる光回線終端装置としてのＯＬＴ２１Ａを有する代表ノード１１Ａと、制御主体に対して客体となる光回線終端装置としてのＯＮＵを有する複数のノード１１Ａ〜１４Ａとが、少なくとも２本の光ファイバ１６，１７でリング状に接続され、当該２本の光ファイバ１６，１７を同一データが経由する際に、一方のＯＮＵからＯＬＴ２１Ａで折り返して他方のＯＮＵへ伝送されるネットワークに、代表ノード１１Ａ又はノード１２Ａ〜１４Ａとして用いられる光伝送装置１１Ａを有する。
【００９４】
光伝送装置１１Ａは、ＯＬＴ２１Ａを介したＯＮＵ間の経路に、独立した論理的な３つのパスを設定する制御を行うステップと、その設定する制御を行う際に、データがＯＮＵから２本の光ファイバ１６，１７を相反方向に介してＯＬＴ２１Ａへ向かうＯＮＵとＯＬＴ２１Ａ間の少なくとも２経路と、及びＯＬＴ２１Ａで折り返したデータが２本の光ファイバ１６，１７を相反方向に介してＯＮＵへ向かうＯＬＴ２１ＡとＯＮＵ間の少なくとも２経路とを組合せた少なくとも４経路の内の異なる３経路に、３つのパスＹ１１〜Ｙ１３を設定する制御を行うステップとを実行するようにした。
【００９５】
この方法によれば、データ伝送の始点と終点のＯＬＴ２１Ａで折り返すＯＮＵ間において、一方の光ファイバ１６に伝送不能状態に障害が発生しても、他方の光ファイバ１７でデータを伝送することができる。従って、特別なデバイスの追加や遅延を増加させることなく、１＋１プロテクション相当の高信頼なＯＮＵ間通信を行うことができる。
【００９６】
また、本実施形態のコンピュータを実行するプログラムについて説明する。コンピュータは、外部装置（ホスト）との間で送受信される信号を終端し、制御主体となる光回線終端装置としてのＯＬＴ２１Ａを有する代表ノード１１Ａと、制御主体に対して客体となる光回線終端装置としてのＯＮＵを有する複数のノード１１Ａ〜１４Ａとが、少なくとも２本の光ファイバ１６，１７でリング状に接続され、当該２本の光ファイバ１６，１７を同一データが経由する際に、一方のＯＮＵからＯＬＴ２１Ａで折り返して他方のＯＮＵへ伝送されるネットワークに、代表ノード１１Ａ又はノード１２Ａ〜１４Ａとして用いられる光伝送装置であるとする。
【００９７】
このプログラムは、上記コンピュータを、ＯＬＴ２１Ａを介したＯＮＵ間の経路に、独立した論理的な３つのパスを設定する制御を行い、当該設定の制御を行う際に、データがＯＮＵから２本の光ファイバ１６，１７を相反方向に介してＯＬＴ２１Ａへ向かうＯＮＵとＯＬＴ２１Ａ間の少なくとも２経路と、及びＯＬＴ２１Ａで折り返したデータが２本の光ファイバ１６，１７を相反方向に介してＯＮＵへ向かうＯＬＴ２１ＡとＯＮＵ間の少なくとも２経路とを組合せた少なくとも４経路の内の異なる３経路に、３つのパスＹ１１〜Ｙ１３を設定する制御を行う手段として機能させる。
【００９８】
このプログラムによれば、ＯＮＵとＯＬＴ２１Ａ間と、ＯＬＴ２１ＡとＯＮＵ間とは、各々が、リング状の２本の光ファイバ１６，１７で相反方向に伝送可能に接続されているので、少なくとも４経路が存在する。この４経路の内の異なる３経路に、独立した３つのパスＹ１１〜Ｙ１３を設定し、この設定された３つのパスＹ１１〜Ｙ１３に同一のデータを伝送させる。これによって、データ伝送の始点と終点のＯＬＴ２１Ａで折り返すＯＮＵ間において、一方の光ファイバ１６に伝送不能状態に障害が発生しても、他方の光ファイバ１７でデータを伝送することができる。
【００９９】
＜第２実施形態の構成＞
図５は、本発明の第２実施形態に係る光集線ネットワークシステムの構成を示すブロック図である。但し、図５に示す光集線ネットワークシステム１０Ｂにおいて、図５に示した第１実施形態のシステム１０Ａに対応する部分には同一符号を付し、その説明を省略する。
【０１００】
図５に示す第２実施形態のシステム１０Ｂが、第１実施形態のシステム１０Ａと異なる点は、２本の光ファイバ１６，１７でリング状に接続された代表ノード１１Ｂ及び複数のノード１２Ｂ〜１４Ｂの内、始点ノード（例えば１２Ｂ）と終点ノード（例えば１４Ｂ）のＯＮＵ間において、ＯＮＵとＯＬＴ２１Ｂ間の上り経路に２つのパスＹ１１，Ｙ１２、ＯＬＴ２１Ｂでのパスの折返点（ＩＯ部２０Ｂａ）とＯＮＵ間の下り経路に３つのパスＹ１１，Ｙ１２，Ｙ１３Ｂを設定するようにした点にある。但し、折返点のＩＯ部２０Ｂａは、図５では、ＯＬＴ２１Ｂの外部に記載しているが、ＯＬＴ２１Ｂに連携して含まれており、ＯＬＴ２１Ｂ内にあってもよい。
【０１０１】
この上り２つのパスＹ１１，Ｙ１２と、下り３つのパスＹ１１，Ｙ１２，Ｙ１３Ｂの設定は、ＤＷＢＡ機能部２７Ｂが後述するパス設定制御により行なう。即ち、ＤＷＢＡ機能部２７は、始点ノード１２ＢとＯＬＴ２１Ｂ間の上り経路に現用パスＹ１１と予備パスＹ１２の２つのパスを設定する。更に、現用パスＹ１１をＯＬＴ２１Ｂの折返点において２分岐し、この２分岐した一方を冗長用パスＹ１３Ｂとし、これを、現用パスＹ１１及び予備パスＹ１２に加えた３つのパスを、ＯＬＴ２１Ｂの折返点から終点ノード１４ＢのＯＮＵ間の下り経路に設定する。
【０１０２】
このパス設定制御は、第１実施形態と同様に、ＯｐＳ５６にて人が任意にパス設定制御を行うことも可能である。なお、ＤＷＢＡ機能部２７Ｂ又はＯｐＳ５６は、請求項記載のパス設定制御手段を構成する。
【０１０３】
詳細には、ＤＷＢＡ機能部２７Ｂは、パス設定制御によって、始点（ノード１２Ｂ）のＯＮＵから第１光ファイバ１６を介してＯＬＴ２１Ｂへ向かう上り方向の経路に、独立した１つの現用パスＹ１１を設定し、この設定経路と逆方向にデータ伝送を行う第２光ファイバ１７を介する上り方向の経路に、他の１つの予備パスＹ１２を設定する。更に、ＯＬＴ２１Ｂの折返点で現用パスＹ１１を２分岐し、この２分岐した一方を冗長用パスＹ１３Ｂとして、折返点から第２光ファイバ１７を経由する現用パスＹ１１と、折返点から第１光ファイバ１６を経由する予備パスＹ１２に加えた３つのパスを、ＯＬＴ２１Ｂの折返点から終点ノード１４ＢのＯＮＵ間の下り経路に設定する。
【０１０４】
このように、ＯＮＵとＯＬＴ２１Ｂ間の第１及び第２光ファイバ１６，１７を相反方向に介した上り経路に２つのパスを設定し、この内１つのパスをＯＬＴ２１Ｂの折返点で分岐して、その折返点からＯＮＵ間の第１及び第２光ファイバ１６，１７を相反方向に介した下り経路に３つのパスを設定する。これによって、上り下りの各々の経路において、一方の光ファイバ１６に伝送不能状態に障害が発生しても、他方の光ファイバ１７でデータ伝送が可能となっている。
【０１０５】
次に、このような３つのパスＹ１１，Ｙ１２，Ｙ１３Ｂにデータを伝送するための代表ノード１１Ｂの構成を、図６を参照して説明する。図６に示す代表ノード１１Ｂは、複数の光多重分離部２３ａ，２３ｂと、複数のＯＳＵ２６Ｂａ〜２６Ｂｄと、ポート３ａ〜３ｈを有するＳＷ部２５と、複数のＩＯ部２０Ｂａ〜２０Ｂｄとを備えて構成されている。この場合、ＯＳＵ２６Ｂａ〜２６Ｂｄ、ＳＷ部２５及びＩＯ部２０Ｂａ〜２０Ｂｄを備えてＯＬＴ２１Ｂが構成されているとする。
【０１０６】
各ＩＯ部２０Ｂａ〜２０ＢＡｄは、ＩＯ部２０Ｂａに代表して示すように、クライアント信号終端変換部（終端変換部）９１と、ＭＵＸ部９２と、コピー部９３と、フィルタ部９４と、負荷モニタ部（モニタ部）９５と、ＴＲＸ４ｂとを備えて構成されている。ＴＲＸ４ｂは、ホスト４１ａのＴＲＸ４ａとネットワーク接続されており、ＴＲＸ４ａと信号の送受信を行う。
【０１０７】
終端変換部９１は、ホスト４１ａからＴＲＸ４ａ，４ｂを介して送信されて来たクライアント信号を終端し、これをＭＵＸ部９２へ出力する。
フィルタ部９４は、例えば、図７に示すノード１２Ｂから送信され、上り経路を経由してきたデータ（信号）Ｄ１１が、コピー対象であるか否かを判定し、コピー対象のデータである場合、当該データを分離してコピー部９３へ出力する。ここで、図７に示すノードＢ１２は、図２に示したＩＯ部３４Ａａと同構成であるが、コピー部６６ＢがデータＤ１を２つのデータＤ１１，Ｄ１２にコピーする機能となっている。
【０１０８】
図６に戻って、フィルタ部９４は、上り経路を経由してきたデータＤ１１がコピー対象でない場合はこのデータを終端変換部９１へ出力する。終端変換部９１で、そのコピー対象でないデータＤ１１が、折返点での折返対象のデータで無く通常の上りデータと判定された場合は、終端変換部６５からＴＲＸ４ｂを介してそのままホスト４１ａへ送信される。また、コピー対象でないデータＤ１１が、折返対象のデータであると判定された場合は、ＭＵＸ部９２を介して下りの経路（第２光ファイバ１７側）へ折り返される。
【０１０９】
コピー部９３は、コピー対象のデータＤ１１を、２つのデータＤ１１，Ｄ１３にコピーし、このコピーされた２つのデータＤ１１，Ｄ１３をＳＷ部２５へ出力する。この際、コピー部９３は、２つのデータＤ１１，Ｄ１３に所定のパスＹ１１，Ｙ１３Ｂを通ることを指示するラベル付与等を行って、ＳＷ部２５へ出力する。ＳＷ部２５は、２つのデータＤ１１，Ｄ１３を上述した下り側の２つのパスＹ１１，Ｙ１３Ｂへ伝送する。
【０１１０】
負荷モニタ部９５は、終端変換部９１及びフィルタ部９４からデータを取得して、ＩＯ部２０Ｂａの負荷量を監視し、この監視負荷量の情報（負荷情報）をＤＷＢＡ機能部２７Ｂ（図５）へ出力する。その監視負荷量は、通常のＯＬＴ２１ＢからＯＮＵ３２Ｂｂへの下り通信による負荷量と、ＯＬＴ２１Ｂ内でのデータの分岐及び折返し処理のための負荷量との合計である。
【０１１１】
ＩＯ部２０Ｂａの負荷量が増大すると、通常のＯＬＴ２１ＢからＯＮＵ３２Ｂｂへの下り通信データに加えて、ＯＬＴ２１Ｂ内での分岐及び折返し処理のための通信データとの輻輳が生じる可能性がある。そこで、その輻輳が生じないように、負荷量が予め定められた所定以上の負荷量（危険負荷量という）に増大した場合、次の処理を行うようにした。なお、危険負荷量は請求項記載の第１負荷量である。
【０１１２】
即ち、ＤＷＢＡ機能部２７Ｂは、負荷モニタ部９５で監視される負荷量が危険負荷量となった場合に、現在の第２実施形態の上り２つのパス及び下り３つのパスの設定（第１パス設定）を、第１実施形態で説明した３つのパスＹ１１〜Ｙ１３の設定（第２パス設定）に切り替える切替制御を行う。この第２パス設定に切り替えられた場合、ノード１２Ｂ〜１４ＢのＩＯ部３４Ａａ（図２参照）により、第１実施形態で説明したように、データＤ１を３つのデータＤ１１〜Ｄ１３にコピーして、３つのパスＹ１１〜Ｙ１３へ伝送する制御が行なわれる。このように処理を行う場合、第２実施形態のシステム１０Ｂは、第１実施形態のシステム１０Ａの構成機能も併せ持った構成となっている。
【０１１３】
また、ＤＷＢＡ機能部２７Ｂは、負荷モニタ部９５からの負荷情報による負荷量が予め定められた所定以下の負荷量（安全負荷量という）に下がった場合、現在の第２パス設定を、第１パス設定に切り替える切替制御を行う。安全負荷量とは、上記の輻輳が生じない負荷量である。なお、安全負荷量は請求項記載の第２負荷量である。第１パス設定に切り替えられた場合、上述したようにＯＬＴ２１Ｂの折返点で、現用パスＹ１１のデータＤ１１のコピーが行なわれ、２つのデータＤ１１，Ｄ１３が現用パスＹ１１及び冗長用パスＹ１３Ｂの下り経路へ伝送される。この際、予備パスＹ１２も折り返されて下り経路へ伝送される。
【０１１４】
この他、第１パス設定での運用中、負荷モニタ部９５からの負荷量が危険負荷量以上となった際に、ＯＬＴ２１Ｂの切替部（図示せぬ）がＤＷＢＡ機能部２７Ｂへ第２パス設定への切替信号を出力し、ＤＷＢＡ機能部２７Ｂが第１パス設定から第２パス設定へ切り替える制御を行うようにしてもよい。この後、安全負荷量以下となった場合、上記切替部はＤＷＢＡ機能部２７Ｂへ第２から第１パス設定への切替信号を出力し、ＤＷＢＡ機能部２７Ｂが第２パス設定から第１パス設定へ切り替える制御を行う。
【０１１５】
また、危険負荷量以上又は安全負荷量以下となった際に、上記切替部が外部のＯｐＳ５６へアラーム信号を出力し、ＯｐＳ５６がＤＷＢＡ機能部２７Ｂに第２パス設定又は第１パス設定への切替信号を出力し、ＤＷＢＡ機能部２７Ｂがパスを切り替えるようにしてもよい。上記のＯｐＳ５６へアラーム信号が出力された際に、アラームを保守者に伝えて保守者が切替操作を行うようにしてもよい。
【０１１６】
＜第２実施形態の効果＞
以上説明した第２実施形態の特徴及びその効果を、図５を参照して説明する。
（１）ＯＬＴ２１Ｂは、ＤＷＢＡ機能部２７Ｂと、コピー部９３（図６）と、マルチプレクサ部９２であるＭＵＸ部９２（図６）とを備える。ＤＷＢＡ機能部２７Ｂは、ＯＬＴ２１Ｂを介したＯＮＵ間の経路において、ＯＮＵから２本の光ファイバ１６，１７を介してＯＬＴ２１Ｂに向かう上り経路に２つのパスＹ１１，Ｙ１２を設定する。更に、当該２つのパスＹ１１，Ｙ１２の一方Ｙ１１を、ＯＬＴ２１Ｂで折り返す折返点で２分岐し、この２分岐したパスＹ１１，Ｙ１３Ｂに２つのパスの内の他方Ｙ１２を加えた３つのパスＹ１１，Ｙ１２，Ｙ１３Ｂを、ＯＬＴ２１Ｂの折返点から２本の光ファイバ１６，１７を介してＯＮＵに向かう下り経路に設定する制御を行う。コピー部９３は、上り経路の２つのパスＹ１１，Ｙ１２を経由してきた２つのデータＤ１１，Ｄ１２の内の一方のデータＤ１１を複写して２つのデータＤ１１，Ｄ１３とする。ＭＵＸ部９２は、その複写された２つのデータＤ１１，Ｄ１３を折返点で２分岐されたパスＹ１１，Ｙ１３Ｂへ伝送する。
【０１１７】
この構成によれば、データ伝送の始点と終点のＯＬＴ２１Ｂで折り返すＯＮＵ間の２本の光ファイバ１６，１７を相反方向に介した上り及び下り経路において、一方の光ファイバ１６に伝送不能状態に障害が発生しても、他方の光ファイバ１７でデータを伝送することができる。更に、上り経路の設定パスＹ１１，Ｙ１２が２つで済むので、帯域消費を小さくすることができる。
【０１１８】
（２）第１実施形態の光伝送装置（代表ノード１１Ａ，ノード１２Ａ〜１４Ａ）と、第２実施形態の光伝送装置（代表ノード１１Ｂ，ノード１２Ｂ〜１４Ｂ）とを備え、ＯＬＴ２１Ｂに、当該ＯＬＴ２１Ｂで折り返されるデータの負荷と、当該ＯＬＴ２１ＢからＯＮＵへ向かって伝送されるデータの負荷とを合計した負荷量を監視する負荷モニタ部９５を備える。ＤＷＢＡ機能部２７Ｂは、第１パス設定が成されている際に、負荷モニタ部９５で監視される負荷量が予め定められた第１負荷量としての危険負荷量以上となった場合、第１パス設定から第２パス設定に切り替える制御を行う。また、第２パス設定が成されている際に、負荷モニタ部９５で監視される負荷量が予め定められた第２負荷量としての安全負荷量以下となった場合に、第１パス設定に切り替える制御を行うようにした。
【０１１９】
これによって、次のような効果を得ることができる。第１パス設定では、ＯＬＴ２１Ｂ内において、通信の負荷量が増大すると、通常のＯＬＴ２１ＢからＯＮＵへの下り通信データに加えて、ＯＬＴ２１Ｂ内での分岐及び折返し処理のための通信データとの輻輳が生じる可能性がある。そこで、第１パス設定中に、ＯＬＴ２１Ｂ内の通信の負荷量を監視し、この監視負荷量が予め定められた危険負荷量以上となった場合に、第２パス設定に切替制御を行う。この第２パス設定では、第１パス設定のように、ＯＬＴ２１Ｂ内での分岐及び折返し処理が無いので、上記の輻輳を無くすことができる。また、第２パス設定中に、安全負荷量以下となった場合に、第１パス設定に切り替えるので、帯域消費を小さくすることもできる。
【０１２０】
その他、具体的な構成について、本発明の主旨を逸脱しない範囲で適宜変更が可能である。
【符号の説明】
【０１２１】
１０Ａ，１０Ｂ  光集線ネットワークシステム
１１Ａ，１１Ｂ  代表ノード（第１光伝送装置）
１２Ａ〜１４Ａ，１２Ｂ〜１４Ｂ  （第２光伝送装置）
１６，１７  光ファイバ（光伝送路）
２１Ａ，２１Ｂ  ＯＬＴ
２０ａ〜２０ｎ，２０Ｂａ〜２０Ｂｎ  ＩＯ部
２３ａ，２３ｂ，３１ａ，３１ｂ  光多重分離部
２５  ＳＷ部
２６Ａａ，２６Ａｂ，２６Ｂａ〜２６Ｂｄ  ＯＳＵ
２７Ａ，２７Ｂ  ＤＷＢＡ機能部（パス設定制御手段）
３２Ａａ，３２Ａｂ  ＯＮＵ
３３  ＳＷ部
３４Ａａ〜３４Ａｎ  ＩＯ部
４１ａ〜４１ｎ，４２ａ〜４２ｎ，４３ａ〜４３ｎ，４４ａ〜４４ｎ  ホストコンピュータ（外部装置）
５１  ＯＡＭ機能部
５２  バッファ部
５６  ＯｐＳ（パス設定制御手段）
６５，９１  クライアント信号終端変換部
６６，６６Ｂ，９３  コピー部
６７  セレクト部
７２  クラシファイア部
７６  パケットモニタ部
７９，９２  ＭＵＸ部（マルチプレクサ部）
９４  フィルタ部
９５  負荷モニタ部（モニタ部）
【図１】
0006457915.tif 000002
【図２】
0006457915.tif 000003
【図３】
0006457915.tif 000004
【図４】
0006457915.tif 000005
【図５】
0006457915.tif 000006
【図６】
0006457915.tif 000007
【図７】
0006457915.tif 000008
【図８】
0006457915.tif 000009
【図９】
0006457915.tif 000010